(57)【要約】【課題】携帯無線機器において外部アンテナ専用の接続端子を設けることなく外部アンテナを装着する手段を提供する。【解決手段】本発明の携帯無線機器は、筐体に取付用軸を有する携帯無線機器において、前記筐体に内蔵された内部アンテナと、前記取付用軸に接続する外部アンテナと、前記内部アンテナと前記取付用軸とに給電を行う制御手段と、を有し、前記取付用軸は、前記給電を受けて前記外部アンテナへ給電し、前記制御手段は、前記内部アンテナと前記外部アンテナとの信号品質を比較し、前記信号品質の良好なアンテナに切り替えることを特徴とする。【選択図】      図１
2015185865.tif 000002
【特許請求の範囲】
【請求項１】
筐体に取付用軸を有する携帯無線機器において、
前記筐体に内蔵された内部アンテナと、前記取付用軸に接続する外部アンテナと、前記内部アンテナと前記取付用軸とに給電を行う制御手段と、を有し、
前記取付用軸は、前記給電を受けて前記外部アンテナへ給電し、
前記制御手段は、前記内部アンテナと前記外部アンテナとの信号品質を比較し、前記信号品質の良好なアンテナに切り替える、携帯無線機器。
【請求項２】
前記取付用軸は、ストラップ取付用である、請求項１記載の携帯無線機器。
【請求項３】
前記外部アンテナは、着脱可能である、請求項１または２記載の携帯無線機器。
【請求項４】
前記取付用軸の前記筐体への装着は防水構造を有する、請求項１から３の内の１項記載の携帯無線機器。
【請求項５】
前記取付用軸は、複数の独立した給電を行う構造を有する、請求項１から４の内の１項記載の携帯無線機器。
【請求項６】
筐体に取付用軸を有する携帯無線機器の外部アンテナ接続構造において、
前記外部アンテナは、前記取付用軸に接続し、
前記取付用軸は、前記外部アンテナに給電し、
前記筐体に内蔵された内部アンテナと前記外部アンテナの信号品質を比較し、前記信号品質の良好なアンテナに切り替える、外部アンテナ接続構造。
【請求項７】
前記外部アンテナは、着脱可能である、請求項６記載の外部アンテナ接続構造。
【請求項８】
前記取付用軸は、複数の独立した給電を行う構造を有する、請求項６または７記載の外部アンテナ接続構造。
【請求項９】
筐体に取付用軸を有する携帯無線機器の外部アンテナ接続方法において、
前記外部アンテナは、前記取付用軸に接続し、
前記取付用軸は、前記外部アンテナに給電し、
前記筐体に内蔵された内部アンテナと前記外部アンテナの信号品質を比較し、前記信号品質の良好なアンテナに切り替える、外部アンテナ接続方法。
【請求項１０】
前記取付用軸は、複数の独立した給電を行う構造を有する、請求項９記載の外部アンテナ接続方法。
【発明の詳細な説明】
【技術分野】
【０００１】
本発明は、携帯無線機器の外部アンテナ接続に関する。
【背景技術】
【０００２】
スマートフォンに代表される携帯無線機器では、小型化や薄型化、電池の大容量化などによって、回路基板やアンテナに割り当てられる面積が少なくなっている。さらに、３Ｇ（３ｒｄ．Ｇｅｎｅｒａｔｉｏｎと呼ばれる携帯電話回線）やＧＰＳ（Ｇｌｏｂａｌ  Ｐｏｓｉｔｉｏｎｉｎｇ  Ｓｙｓｔｅｍ）、Ｗｉ−Ｆｉ（Ｗｉｒｅｌｅｓｓ  Ｆｉｄｅｌｉｔｙ）、地デジ（地上デジタルテレビ放送）などの多くの周波数に対応するため、各種のアンテナが実装されている。
【０００３】
図９に、既知の携帯無線機器２０の外観を示す。携帯無線機器２０の筐体２００には、受話用レシーバ２０４、送話用マイク２０６、表示用ディスプレイ２１０、ストラップ取付用軸２０７などが実装されている。
【０００４】
図１０に、携帯無線端末２０の内部構造を示す。携帯無線端末２０の筐体２００内には、電池２０２、受話用レシーバ２０４、送話用マイク２０６などの各種デバイス、通信用のアンテナ基板２０３を有する。さらに、前記各種デバイスや無線の制御を行う制御ＩＣ２１８（Ｉｎｔｅｇｒａｔｅｄ  Ｃｉｒｃｕｉｔ）や、無線通信を行うための無線ＩＣ２１９などの回路が実装された回路基板２０１を有する。さらに、回路基板２０１とアンテナ基板２０３とは、同軸ケーブル２０５で電気的に接続されている。筐体２００の端部には、ストラップを装着するためのストラップ取付用軸２０７を有する。
【先行技術文献】
【特許文献】
【０００５】
【特許文献１】特開２００５−１６７８２９号公報
【発明の概要】
【発明が解決しようとする課題】
【０００６】
アンテナ基板２０３には各種通信用のアンテナが実装されており、以下の課題を有する。まず、携帯無線機器の小型化や多周波数化により、筐体２００内の内部アンテナの設置場所が十分に確保できない。このため、それぞれのアンテナは小型化され必要最低限の性能を得るのみとなっている。さらに、内部アンテナの性能を補うための外部アンテナの専用の接続端子を設けることは、コストや実装面積の制約により困難である。
【０００７】
特許文献１には、ストラップ形状のフレキシブル基板アンテナを外付けする外部アンテナが開示されている。しかしながら、この場合、外部アンテナ専用の接続端子を設けることが必要であった。
【０００８】
本発明は、上記の課題に鑑みてなされたものであり、その目的は、携帯無線機器において外部アンテナ専用の接続端子を設けることなく外部アンテナを接続する手段を提供することにある。
【課題を解決するための手段】
【０００９】
本発明による携帯無線機器は、筐体に取付用軸を有する携帯無線機器において、前記筐体に内蔵された内部アンテナと、前記取付用軸に接続する外部アンテナと、前記内部アンテナと前記取付用軸とに給電を行う制御手段と、を有し、前記取付用軸は、前記給電を受けて前記外部アンテナへ給電し、前記制御手段は、前記内部アンテナと前記外部アンテナとの信号品質を比較し、前記信号品質の良好なアンテナに切り替える。
【００１０】
本発明による外部アンテナ装着構造は、筐体に取付用軸を有する携帯無線機器の外部アンテナ接続構造において、前記外部アンテナは、前記取付用軸に接続し、前記取付用軸は、前記外部アンテナに給電し、前記筐体に内蔵された内部アンテナと前記外部アンテナの信号品質を比較し、前記信号品質の良好なアンテナに切り替える。
【００１１】
本発明による外部アンテナ装着方法は、筐体に取付用軸を有する携帯無線機器の外部アンテナ接続方法において、前記外部アンテナは、前記取付用軸に接続し、前記取付用軸は、前記外部アンテナに給電し、前記筐体に内蔵された内部アンテナと前記外部アンテナの信号品質を比較し、前記信号品質の良好なアンテナに切り替える。
【発明の効果】
【００１２】
本発明によれば、携帯無線機器において外部アンテナ専用の接続端子を設けることなく外部アンテナを接続する手段を提供することができる。
【図面の簡単な説明】
【００１３】
【図１】本発明の第１の実施形態の携帯無線機器の構成を示す図である。
【図２】本発明の第２の実施形態の携帯無線機器の構成を示す図である。
【図３】本発明の第２の実施形態の携帯無線機器のストラップ取付用軸ネジ付近の構造を示す断面図である。
【図４】本発明の第２の実施形態の外部アンテナの構造の一例を示す図である。
【図５】本発明の第２の実施形態の携帯無線機器に外部アンテナを接続した様子を示す図である。
【図６】本発明の第２の実施形態の変形例の携帯無線機器のストラップ取付用軸ネジ付近の構造を示す断面図である。
【図７】本発明の第２の実施形態の変形例の携帯無線機器のストラップ取付用軸ネジ付近の構造を示す断面図である。
【図８】本発明の第２の実施形態の変形例の携帯無線機器のスリーブとこれに組み合わせる絶縁体の形状を示す図である。
【図９】既知の携帯無線機器の構成を示す図である。
【図１０】既知の携帯無線機器の構成を示す図である。
【発明を実施するための形態】
【００１４】
以下、図を参照しながら、本発明の実施形態を詳細に説明する。但し、以下に述べる実施形態には、本発明を実施するために技術的に好ましい限定がされているが、発明の範囲を以下に限定するものではない。
（第１の実施形態）
図１は、本発明の第１の実施形態の携帯無線機器の構成を示す図である。本実施形態の携帯無線機器１は、取付用軸２を有する携帯無線機器１において、前記携帯無線機器１の筐体３に内蔵された内部アンテナ４と、前記取付用軸２に接続する外部アンテナ５と、前記内部アンテナ４と前記取付用軸３とに給電を行う制御手段６と、を有する。さらに、前記取付用軸２は、前記給電を受けて前記外部アンテナ５へ給電を行う。さらに、前記制御手段６は、前記内部アンテナ４と前記外部アンテナ５との信号品質を比較し、前記信号品質の良好なアンテナに切り替える。
【００１５】
本実施形態によれば、携帯無線機器において外部アンテナ専用の接続端子を設けることなく外部アンテナを接続する手段を提供することができる。
（第２の実施形態）
図２は、本発明の第２の実施形態の携帯無線機器の構成を示す図である。携帯無線機器１０の筐体１００内には、受話用レシーバ１０４、送話用マイク１０６、表示用ディスプレイ１１０（図３で表記）、電池１０２などの各種デバイスを有する。さらに、前記各種デバイスや無線の制御を行う制御ＩＣ１１８や、無線を行う無線ＩＣ１１９などの回路が実装された回路基板１０１を有する。さらに、通信用の内部アンテナ１１を実装するアンテナ基板１０３を有する。回路基板１０１とアンテナ基板１０３とは、同軸ケーブル１０５で電気的に接続されている。
【００１６】
筐体１００の端部には、ストラップを装着するためのストラップ取付用軸ネジ１０８が設けられている。ストラップ取付用軸ネジ１０８は導電性であり、接続板金１０９を介してアンテナ基板１０３に電気的に接続している。もしくは、接続板金１０９を介して回路基板１０１に電気的に接続してもよい。いずれにしても、ストラップ取付用軸ネジ１０８に給電が行えればよい。
【００１７】
ストラップ取付用軸ネジ１０８には、着脱可能な外部アンテナ１２が接続される。ストラップ取付用軸ネジ１０８は、前記給電を受けて、外部アンテナ１２へ給電を行う。内部アンテナ１１と外部アンテナ１２への給電は、無線ＩＣ１１９が行うことができる。
【００１８】
無線ＩＣ１１９は、ストラップ取付用軸ネジ１０８に外部アンテナ１２が接続されると、内部アンテナ１１からの信号と外部アンテナ１２からの信号品質を比較し、信号品質の良好なアンテナに切り替える。これにより、信号品質の良好な通信を行うことができる。
【００１９】
図３は、本実施形態の携帯無線機器１０のストラップ取付用軸ネジ１０８付近の構造を示す断面図である。ストラップを装着するためのストラップ取付用軸ネジ１０８は、携帯端末１０の筐体１００に埋め込まれたネジボス１１１により筐体１００に固定される。ストラップ取付用軸ネジ１０８は導電性であり、共締めされた接続板金１０９とアンテナ基板１０３上に実装された接触金具１１２によりアンテナ基板１０３と電気的に結合している。
【００２０】
図４は、本実施形態の外部アンテナ１２の構造の一例を示す図である。金属製のアンテナ本体１２０には、ストラップ取付用軸ネジ１０８に接続するための取付金具１２１が接続されている。この取付金具１２１はバネ性があり、アンテナ本体１２０をストラップ取付用軸ネジ１０８に固定することができる。外部アンテナは着脱が可能である。また、例示した外部アンテナは、ヒンジ１２２により屈曲が可能である。
【００２１】
図５は、本実施形態の携帯無線機器１０に外部アンテナ１２を接続した様子を示す図である。ストラップ取付用軸ネジ１０８をアンテナ本体１２０の取付金具１２１で挟み込むように接続し固定することで、アンテナ基板１０３とアンテナ本体１２０とは導通し、筐体１００内では実現できない長さの外部アンテナを接続することができる。これによりアンテナ専用の端子を追加することなく筐体内の小型の内部アンテナ１１では得ることのできなかった良好な信号品質を得ることが可能となる。
【００２２】
なお、ストラップ取付用軸ネジ１０８に、外部アンテナ１２以外の導電性の金属物などが装着された場合、これらはアンテナではないのでアンテナとしての十分な性能は得られない。この場合は、無線を行う無線ＩＣ１１９は、信号品質の比較により内部アンテナ１１を選択し、前記金属物などをアンテナとして機能させないようにすることができる。また、ストラップ取付用軸ネジ１０８に通常のストラップを装着することもできる。
【００２３】
図６は、本実施形態の変形例の携帯無線機器のストラップ取付用軸ネジ付近の構造を示す断面図である。図６では、ストラップ取付用軸ネジ１０８にパッキン１１３を付けることで防水構造としている。パッキン１１３は、ゴムなどの止水が可能で弾力のある材料とすることが好ましい。
【００２４】
図７は、本実施形態の変形例の携帯無線機器のストラップ取付用軸ネジ付近の構造を示す断面図である。図７では、ストラップ取付用軸ネジ１０８の外側に円筒状のスリーブ１１５を付けている。図８に、スリーブ１１５とこれに組み合わせる絶縁体１１６の形状を示す。スリーブ１１５から延伸する板金は、接触金具１１４を介してアンテナ基板１０３と電気的に接続する。接続板金１０９とスリーブ１１５とは絶縁体１１６によって絶縁されている。これにより外部アンテナに対して２種類の給電を可能にしている。すなわち、２種類の外部アンテナの装着が可能である。また、給電と短絡とが必要な逆Ｆ型のアンテナを装着することも可能である。また、スリーブ１１５と絶縁体１１６とを多段化することで、２種類以上の外部アンテナの装着も可能となる。
【００２５】
以上のように、本実施形態の携帯無線機器では、ストラップ取付用軸にアンテナ給電を行えるようにすることで、新たに外部アンテナ用の接続端子を筐体に設ける必要がない。このため筐体の実装への影響が少なく、かつ、コスト削減にも有効である。また、通常のストラップも装着することができる。
【００２６】
すなわち、本実施形態によれば、携帯無線機器において外部アンテナ専用の接続端子を設けることなく外部アンテナを接続する手段を提供することができる。
【００２７】
本発明は上記実施形態に限定されることなく、特許請求の範囲に記載した発明の範囲内で種々の変形が可能であり、それらも本発明の範囲内に含まれるものである。
【００２８】
また、上記の実施形態の一部又は全部は、以下の付記のようにも記載され得るが、以下には限られない。
【００２９】
付記
（付記１）
筐体に取付用軸を有する携帯無線機器において、
前記筐体に内蔵された内部アンテナと、前記取付用軸に接続する外部アンテナと、前記内部アンテナと前記取付用軸とに給電を行う制御手段と、を有し、
前記取付用軸は、前記給電を受けて前記外部アンテナへ給電し、
前記制御手段は、前記内部アンテナと前記外部アンテナとの信号品質を比較し、前記信号品質の良好なアンテナに切り替える、携帯無線機器。
（付記２）
前記取付用軸は、ストラップ取付用である、付記１記載の携帯無線機器。
（付記３）
前記外部アンテナは、着脱可能である、付記１または２記載の携帯無線機器。
（付記４）
前記取付用軸は、導電性である、付記１から３の内の１項記載の携帯無線機器。
（付記５）
前記取付用軸は、ネジである、付記１から４の内の１項記載の携帯無線機器。
（付記６）
前記取付用軸の前記筐体への装着は防水構造を有する、付記１から５の内の１項記載の携帯無線機器。
（付記７）
前記防水構造はパッキンを有する、付記６記載の携帯無線機器。
（付記８）
前記取付用軸は、複数の独立した給電を行う構造を有する、付記１から７の内の１項記載の携帯無線機器。
（付記９）
前記取付用軸は、複数の前記外部アンテナが接続する、付記８記載の携帯無線機器。
（付記１０）
筐体に取付用軸を有する携帯無線機器の外部アンテナ接続構造において、
前記外部アンテナは、前記取付用軸に接続し、
前記取付用軸は、前記外部アンテナに給電し、
前記筐体に内蔵された内部アンテナと前記外部アンテナの信号品質を比較し、前記信号品質の良好なアンテナに切り替える、外部アンテナ接続構造。
（付記１１）
前記取付用軸は、ストラップ取付用である、付記１０記載の外部アンテナ接続構造。
（付記１２）
前記外部アンテナは、着脱可能である、付記１０または１１記載の外部アンテナ接続構造。
（付記１３）
前記取付用軸は、導電性である、付記１０から１２の内の1項記載の外部アンテナ接続構造。
（付記１４）
前記取付用軸は、ネジである、付記１０から１３の内の１項記載の外部アンテナ接続構造。
（付記１５）
前記取付用軸の前記筐体への装着は、防水構造を有する、付記１０から１４の内の１項記載の外部アンテナ接続構造。
（付記１６）
前記防水構造はパッキンを有する、付記１５記載の外部アンテナ接続構造。
（付記１７）
前記取付用軸は、複数の独立した給電を行う構造を有する、付記１０から１６の内の１項記載の外部アンテナ接続構造。
（付記１８）
前記取付用軸は、複数の前記外部アンテナが接続する、付記１７記載の外部アンテナ接続構造。
（付記１９）
筐体に取付用軸を有する携帯無線機器の外部アンテナ接続方法において、
前記外部アンテナは、前記取付用軸に接続し、
前記取付用軸は、前記外部アンテナに給電し、
前記筐体に内蔵された内部アンテナと前記外部アンテナの信号品質を比較し、前記信号品質の良好なアンテナに切り替える、外部アンテナ接続方法。
（付記２０）
前記取付用軸は、ストラップ取付用である、付記１９記載の外部アンテナ接続方法。
（付記２１）
前記外部アンテナは、着脱可能である、付記１９または２０記載の外部アンテナ接続方法。
（付記２２）
前記取付用軸は、導電性である、付記１９から２１の内の1項記載の外部アンテナ接続方法。
（付記２３）
前記取付用軸は、ネジである、付記１９から２２の内の１項記載の外部アンテナ接続方法。
（付記２４）
前記取付用軸の前記筐体への装着は、防水構造を有する、付記１９から２３の内の１項記載の外部アンテナ接続方法。
（付記２５）
前記防水構造はパッキンを有する、付記２４記載の外部アンテナ接続方法。
（付記２６）
前記取付用軸は、複数の独立した給電を行う構造を有する、付記１９から２５の内の１項記載の外部アンテナ接続方法。
（付記２７）
前記取付用軸は、複数の前記外部アンテナが接続する、付記２６記載の外部アンテナ接続方法。
【符号の説明】
【００３０】
１、１０、２０    携帯無線機器
２    取付用軸
３、１００、２００    筐体
４、１１    内部アンテナ
５、１２    外部アンテナ
６    制御手段
１０１、２０１    回路基板
１０２、２０２    電池
１０３、２０３    アンテナ基板
１０４、２０４    受話用レシーバ
１０５、２０５    同軸ケーブル
１０６、２０６    送話用マイク
１０８    ストラップ取付用軸ネジ
１０９    接続板金
１１０、２１０    表示用ディスプレイ
１１１    ネジボス
１１２、１１４    接触金具
１１３    パッキン
１１５    スリーブ
１１６    絶縁体
１１８、２１８    制御ＩＣ
１１９、２１９    無線ＩＣ
１２０    アンテナ本体
１２１    取付金具
１２２    ヒンジ
２０７    ストラップ取付用軸
【図１】
2015185865.tif 000003
【図２】
2015185865.tif 000004
【図３】
2015185865.tif 000005
【図４】
2015185865.tif 000006
【図５】
2015185865.tif 000007
【図６】
2015185865.tif 000008
【図７】
2015185865.tif 000009
【図８】
2015185865.tif 000010
【図９】
2015185865.tif 000011
【図１０】
2015185865.tif 000012